(57)【要約】【解決手段】ジェット水の噴射向きを調整することのできるノズルを通常より下方へスイングさせ、握りを解除すると、ノズルを通常の向きに戻すことのできるトリム操作レバーに接続したトリム操作ワイヤ２２は、トリム操作レバーに細く屈曲性に富む引きワイヤ５３の一端を連結し、この引きワイヤの他端を押し引き変換器５６を介して、太く屈曲性に乏しい押しワイヤ５７の一端を連結し、この押しワイヤの他端をステアリングノズル２１に連結し、押し引き変換器を、ステアリングハンドル１４の真下若しくはそれより艇首２４寄りの艇体に配置した。【効果】押し引き変換器とトリム操作レバーとの間に連結した引きワイヤの長さを短くすることができるとともに、押しワイヤを長くすることができる。その結果、細く屈曲性に富む引きワイヤを数箇所曲げながら配置しても、引きワイヤのインナワイヤの摺動抵抗は小さくなり、操作性の向上を図ることができる。【選択図】　　　　図１
2004098940.tif 000002
【特許請求の範囲】
【請求項１】
ジェット水を噴射するジェット推進機にジェット水の噴射向きを調整することのできるノズルを配置し、ステアリングハンドルに付設したトリム操作レバーを握ると、前記ノズルを通常の向きより上下方向へスイングさせ、前記握りを解除すると、前記ノズルを通常の向きに戻すことのできる小型水上艇において、
前記トリム操作レバーに細く屈曲性に富む引きワイヤの一端を連結し、この引きワイヤの他端を押し引き変換器を介して、太く屈曲性に乏しい押しワイヤの一端を連結し、この押しワイヤの他端をノズルに連結し、前記押し引き変換器を、前記ステアリングハンドルの真下若しくはそれより艇首寄りの艇体に配置したことを特徴とする小型水上艇のトリム操作ワイヤ構造。
【請求項２】
ステアリングハンドルを支持するステアリング軸は、上部が下部より後方になるように傾斜して艇体に配置され、前記ステアリングハンドルとステアリング軸を覆うハンドルカバーを設け、前記ハンドルカバーの内側に前記引きワイヤを配設したことを特徴とする請求項１記載の小型水上艇のトリム操作ワイヤ構造。
【発明の詳細な説明】
【０００１】
【発明の属する技術分野】
本発明は小型水上艇のトリム操作ワイヤ構造に関する。
【０００２】
【従来の技術】
従来のトリム操作ワイヤ構造は、引きワイヤと押しワイヤを押し引き変換器で連結すると同時に、押し引き変換器を小型水上艇のほぼ中央に配置している（例えば、特許文献１参照。）。
【０００３】
【特許文献１】
特開平９−２８１１３２号公報　（第３頁、図１）
【０００４】
特許文献１を図面を参照の上、詳しく説明する。
図７は従来のケーブル構成の説明図である（特許文献１の図１を写したもの。）。
従来のケーブル構成は、操舵ハンドル８側に連結した２本のプルケーブルとノズルデフレクタ１９に連結したプッシュプルケーブル２９を船体２の全長のほぼ中央に配置したトリム変換機構２５で連結したものである。プルケーブルは操舵ハンドル８の左側グリップの回動操作で引っ張られ、プッシュプルケーブルは押しまたは引かれる。
【０００５】
【発明が解決しようとする課題】
上記従来のケーブル構成では、プルケーブルは、内部にインナワイヤを通したもので且つ曲げての使用環境となり、インナワイヤを摺動させる際に摺動抵抗が大きくなりやすく、操作性が低下する。
また、プルケーブルのインナワイヤでは、経年とともにインナワイヤの摺動抵抗が大きくなりやすく、左側グリップの回動で２本のインナワイヤを同時に、一方を引き、他方を押すように摺動させるには、手首に大きな力が必要になる。
インナワイヤは経年とともに伸びるため、適宜調整が必要になる。
【０００６】
そこで、本発明の目的は、操作性の向上を図る小型水上艇のトリム操作ワイヤ構造を提供することにある。
【０００７】
【課題を解決するための手段】
上記目的を達成するために請求項１は、ジェット水を噴射するジェット推進機にジェット水の噴射向きを調整することのできるノズルを配置し、ステアリングハンドルに付設したトリム操作レバーを握ると、ノズルを通常の向きより上下方向へスイングさせ、握りを解除すると、ノズルを通常の向きに戻すことのできる小型水上艇において、トリム操作レバーに細く屈曲性に富む引きワイヤの一端を連結し、この引きワイヤの他端を押し引き変換器を介して、太く屈曲性に乏しい押しワイヤの一端を連結し、この押しワイヤの他端をノズルに連結し、押し引き変換器を、ステアリングハンドルの真下若しくはそれより艇首寄りの艇体に配置したことを特徴とする。
【０００８】
ステアリングハンドルの真下若しくはそれより艇首寄りの艇体に押し引き変換器を配置したので、押し引き変換器とトリム操作レバーとの間に連結した引きワイヤの長さを短くすることができるとともに、押しワイヤを長くすることができる。その結果、細く屈曲性に富む引きワイヤを数箇所曲げながら配置しても、引きワイヤのインナワイヤの摺動抵抗は小さくなり、操作性の向上を図れる。
【０００９】
また、細く屈曲性に富む引きワイヤの長さは短くなるので、曲げによる「遊び」やインナワイヤ自身の伸びによる応答の遅れが解消され、操作性の向上を図れる。
一方、押しワイヤは、直線状に長くなるので、押しワイヤのインナワイヤの摺動抵抗はほとんど変化せず、操作性の維持を図れる。
【００１０】
請求項２は、ステアリングハンドルを支持するステアリング軸は、上部が下部より後方になるように傾斜して艇体に配置され、ステアリングハンドルとステアリング軸を覆うハンドルカバーを設け、ハンドルカバーの内側に引きワイヤを配設したことを特徴とする。
【００１１】
引きワイヤがハンドルカバー内を通るので、外観性が向上する。
また、ステアリング軸に沿って引きワイヤは、ステアリングハンドルから前下方に延びて配置されるが、その延びてきた所に押し引き変換器があるので、引きワイヤを短くすることができる。
【００１２】
【発明の実施の形態】
本発明の実施の形態を添付図に基づいて以下に説明する。なお、図面は符号の向きに見るものとする。
図１は本発明に係るリヤグリップ構造を用いた小型水上艇の側面図であり、小型水上艇１０は、ハル１２と、このハル１２の上に接合したデッキ１３で構成した艇体１１と、デッキ１３の略中央に配置したステアリングハンドル１４と、このステアリングハンドル１４の後部に設けるとともに、デッキ１３に載せたシート１５と、ハル１２の中央に取り付けた燃料タンク１６およびエンジン１７と、このエンジン１７に接続したジェット推進機としてのウォータージェット推進機１８と、ウォータージェット推進機１８の後方に設けたノズルとしてのステアリングノズル２１と、ステアリングノズル２１に接続したトリム操作ワイヤ２２と、トリム操作ワイヤ２２を連結するためにステアリングハンドル１４に付設したトリム操作レバー装置２３と、を備える。２４は艇首、２５はステアリングハンドル１４の真下に位置する軸線を示す。
【００１３】
ステアリングハンドル１４を支持するステアリング軸１４ａは、上部が下部より後方になるように傾斜して艇体１１に配置され、ステアリングハンドル１４とステアリング軸１４ａを覆うハンドルカバー１４ｂを設け、ハンドルカバー１４ｂの内側に引きワイヤ５３を配設した。
【００１４】
図２は本発明に係るステアリングノズルの断面図であり、ステアリングノズル２１が通常の向きを向いている状態を示す。
ステアリングノズル２１は、ウォータージェット推進機１８にリング部材２６を下方向（矢印▲１▼の方向）に揺動可能に取り付け、このリング部材２６にノズル本体２７を左右方向（矢印▲２▼の方向）に揺動可能に取り付けたもので、ジェット水の噴射向きを調整する。
【００１５】
リング部材２６は、リング本体２８の左右（図の表裏）に第１受け部３１，３１（図に示していない）をウォータージェット推進機１８に連結するように形成し、上下に第２受け部３２，３３をノズル本体２７に連結するように形成した。３４は第２受け部３２に連結した押しワイヤ５７であり、θはリング部材２６とともにノズル本体２７が通常の向きより下方向へスイングしたときのトリムスイング角を示す。
３４は第２受け部３２に連結した押しワイヤ５７であり、θはリング部材２６とともにノズル本体２７が通常より下方へスイングしたときのトリムスイング角を示す。
【００１６】
図３は本発明に係るトリム操作レバー装置の斜視図であり、トリム操作レバー装置２３を操作していない状態を示す。トリム操作ワイヤ２２を連結したウォータージェット推進機のリング部材２６（図２参照）およびノズル本体２７（図２参照）は実線で示す通常の向きを向く。
【００１７】
図３はまた、ステアリングハンドル１４とステアリング軸を覆うハンドルカバー１４ｂを設け、ハンドルカバー１４ｂの内側に引きワイヤ５３を配設したことを示す。ここでは、理解を容易にするためにハンドルカバー１４ｂのみを透視図で示した。
【００１８】
トリム操作レバー装置２３は、ステアリングハンドル１４に止める支持部材４２と、この支持部材４２に揺動可能に取り付けたトリム操作レバーとしてのトリムレバー本体４３と、このトリムレバー本体４３をロックするレバーロック手段４４とからなる。
【００１９】
レバーロック手段４４は、トリムレバー本体４３を握り位置にロックするもので、トリムレバー本体４３に揺動可能に取り付けたロックレバー４７と、このロックレバー４７を掛止するようにトリムレバー本体４３に固定したばね板４８と、トリムレバー本体４３に形成した原点ストッパ４９と、支持部材４２に形成した掛止凸部５１と、からなる。
【００２０】
図４は本発明に係るトリム操作ワイヤの側面図であり、トリム操作ワイヤ２２は、トリム操作レバー装置２３（図３参照）に細く屈曲性に富む引きワイヤ５３の一端５４を連結し、この引きワイヤ５３の他端５５を押し引き変換器５６を介して、太く屈曲性に乏しい押しワイヤ５７の一端６１を連結し、この押しワイヤ５７の他端６２（図２参照）をノズルとしてのステアリングノズル２１（図２に参照）に連結し、ステアリングノズルを作動させる力を伝える。
【００２１】
引きワイヤ５３は、ワイヤケーブルアウタ６５と、インナワイヤ６６とからなる。インナワイヤ６６の線径はＤｆに設定した。
インナワイヤ６６の材質は、例えば、ステンレス鋼を用いる。
押しワイヤ５７は、ワイヤケーブルアウタ６７と、インナワイヤ６８とからなる。インナワイヤ６８の線径はＤｒに設定した。線径Ｄｒは、Ｄｒ＞Ｄｆである。
インナワイヤ６８の材質は、例えば、ステンレス鋼を用いる。
【００２２】
押し引き変換器５６は、ボックス７１内に変換リンクレバー７２を揺動可能に取り付け、変換リンクレバー７２に引っ張りばね７３を掛け、変換リンクレバー７２の一端に引きワイヤ５３のインナワイヤ６６を連結し、変換リンクレバー７２の他端に押しワイヤ５７のインナワイヤ６８を連結し、引きワイヤ５３の引き力を押しワイヤ５７に作用する押し力に変換する。なお、ボックス７１の一方に引きワイヤ５３のワイヤケーブルアウタ６５を固定し、ボックス７１の他方に押しワイヤ５７のワイヤケーブルアウタ６７を固定し、それぞれのインナワイヤ６６，６８を摺動させる。
【００２３】
押し引き変換器５６はまた、図１に示すように、小型水上艇１０のステアリングハンドル１４の真下に位置する軸線２５より艇首２４寄りの艇体に軸線２５から距離Ｌだけ離して配置した。なお、押し引き変換器５６の配置位置は、ステアリングハンドル１４の真下、すなわち、軸線２５の線上でもよい。
【００２４】
図５は本発明に係るトリム操作レバー装置およびトリム操作ワイヤの分解図であり、トリム操作レバー装置２３の支持部材４２と、この支持部材４２に揺動可能に取り付けるトリムレバー本体４３とを示すとともに、レバーロック手段４４のロックレバー４７と、ばね板４８と、トリムレバー本体４３に形成した原点ストッパ４９とを示す。
【００２５】
トリムレバー本体４３には、ロックレバー４７を取り付けるための小ねじ７４用のめねじ７５を形成し、ばね板４８を取り付けるための小ねじ７６用のめねじ７７を形成した。
ロックレバー４７には、一方に指を掛ける指掛け部７８を形成し、中央に凸部７９を形成し、他方に掛止凸部５１（図３参照）に掛かる掛止端部８１を形成した。
【００２６】
図５はまた、トリム操作ワイヤ２２の引きワイヤ５３と、押し引き変換器５６（ボックス７１、変換リンクレバー７２、引っ張りばね７３）と、押しワイヤ５７と、引きワイヤ５３の中央に設けた伸び調整手段８２を示す。
【００２７】
図６は本発明に係る伸び調整手段の断面図であり、伸び調整手段８２は、引きワイヤ５３のワイヤケーブルアウタ６５を２分割し、トリム操作レバー装置２３（図５参照）側に位置する第１ワイヤケーブルアウタ８３に調整ナット８４を取り付け、押し引き変換器５６（図５参照）側に位置する第２ワイヤケーブルアウタ８５に調整ボルト８６を取り付け、回り止めナット８７を用いたものである。Ｓは調整代を示す。
【００２８】
回り止めナット８７は、締め込むことで調整ボルト８６の空転を防止する作用をなす。この回り止めナット８７は、スパナ掛け部８７ａと、指掛け部８７ｂとからなり、スパナなどの工具がないときには、指を指掛け部８７ｂに掛けることで、回り止めナット８７を回すことができる。
【００２９】
以上に述べた小型水上艇のトリム操作ワイヤ構造の作用を次に説明する。
図１に示すように押し引き変換器５６を、ステアリングハンドル１４の真下（軸線２５）より艇首２４寄りの艇体に配置したので、押し引き変換器５６とトリム操作レバー装置２３との間に連結した引きワイヤ５３の長さを短くすることができるとともに、押しワイヤ５７を長くすることができる。その結果、細く屈曲性に富む引きワイヤ５３を数箇所曲げながら配置しても、引きワイヤ５３のインナワイヤ６６（図４参照）の摺動抵抗は小さくなり、操作性の向上を図ることができる。
【００３０】
また、細く屈曲性に富む引きワイヤ５３の長さは短くなるので、曲げによる「遊び」やインナワイヤ６６自身の伸びによる応答の遅れが解消され、操作性の向上を図ることができる。
一方、押しワイヤ５７は、直線状に長くなるので、インナワイヤ６８（図４参照）の摺動抵抗はほとんど変化せず、操作性を維持することができる。
【００３１】
図１のステアリングハンドル１４を支持するステアリング軸１４ａは、上部が下部より後方になるように傾斜して艇体１１に配置され、ステアリングハンドル１４とステアリング軸１４ａを覆うハンドルカバー１４ｂを設け、ハンドルカバー１４ｂの内側に引きワイヤ５３を配設したので、引きワイヤ５３がハンドルカバー１４ｂ（図３参照）内を通るので、外観性の向上を図ることができる。
また、ステアリング軸１４ａに沿って引きワイヤ５３は、ステアリングハンドル１４から前下方に延びて配置されるが、その延びてきた所に押し引き変換器５６があるので、引きワイヤ５３を短くすることができる。
【００３２】
尚、本発明の実施の形態に示した押し引き変換器５６の構成は任意である。
引きワイヤ５３および押しワイヤ５７の構成は任意である。
【００３３】
【発明の効果】
本発明は上記構成により次の効果を発揮する。
請求項１では、ジェット水の噴射向きを調整することのできるノズルを通常より下方へスイングさせ、握りを解除すると、ノズルを通常の向きに戻すことのできるトリム操作レバーに接続したトリム操作ワイヤ構造は、トリム操作レバーに細く屈曲性に富む引きワイヤの一端を連結し、この引きワイヤの他端を押し引き変換器を介して、太く屈曲性に乏しい押しワイヤの一端を連結し、この押しワイヤの他端をノズルに連結し、押し引き変換器を、ステアリングハンドルの真下若しくはそれより艇首寄りの艇体に配置したので、押し引き変換器とトリム操作レバーとの間に連結した引きワイヤの長さを短くすることができるとともに、押しワイヤを長くすることができる。その結果、細く屈曲性に富む引きワイヤを数箇所曲げながら配置しても、引きワイヤのインナワイヤの摺動抵抗は小さくなり、操作性の向上を図ることができる。
【００３４】
また、細く屈曲性に富む引きワイヤの長さは短くなるので、曲げによる「遊び」やインナワイヤ自身の伸びによる応答の遅れが解消され、操作性の向上を図ることができる。
一方、押しワイヤは、直線状に長くなるので、押しワイヤのインナワイヤの摺動抵抗はほとんど変化せず、操作性を維持することができる。
【００３５】
請求項２では、ステアリングハンドルを支持するステアリング軸は、上部が下部より後方になるように傾斜して艇体に配置され、ステアリングハンドルとステアリング軸を覆うハンドルカバーを設け、ハンドルカバーの内側に引きワイヤを配設したので、引きワイヤがハンドルカバー内を通るので、外観性の向上を図ることができる。
また、ステアリング軸に沿って引きワイヤは、ステアリングハンドルから前下方に延びて配置されるが、その延びてきた所に押し引き変換器があるので、引きワイヤを短くすることができる。
【図面の簡単な説明】
【図１】本発明に係るリヤグリップ構造を用いた小型水上艇の側面図
【図２】本発明に係るステアリングノズルの断面図
【図３】本発明に係るトリム操作レバー装置の斜視図
【図４】本発明に係るトリム操作ワイヤの側面図
【図５】本発明に係るトリム操作レバー装置およびトリム操作ワイヤの分解図
【図６】本発明に係る伸び調整手段の断面図
【図７】従来のケーブル構成の説明図
【符号の説明】
１０…小型水上艇、１４…ステアリングハンドル、１４ａ…ステアリング軸、１４ｂ…ハンドルカバー、１８…ジェット推進機（ウォータージェット推進機）、２１…ノズル（ステアリングノズル）、２２…トリム操作ワイヤ、２４…艇首、４３…トリム操作レバー（トリムレバー本体）、５３…引きワイヤ、５６…押し引き変換器、５７…押しワイヤ、θ…トリムスイング角。
【図１】
2004098940.tif 000003
【図２】
2004098940.tif 000004
【図３】
2004098940.tif 000005
【図４】
2004098940.tif 000006
【図５】
2004098940.tif 000007
【図６】
2004098940.tif 000008
【図７】
2004098940.tif 000009